(57)【特許請求の範囲】
【請求項１】
把持部にはその長手方向の両側のうち一方の側に頭部を設けるとともに他方の側に尻部を設け、刃体を組み込んだ剃刀ヘッドをこの把持部の頭部に設け、この把持部は、その刃体の刃先が向く腹側である腹部と、その腹側に対する反対側の背側である背部と、その刃先の延設方向の両側である側部とを頭部と尻部との間に有している剃刀のハンドルにおいて、
複数の把持部のうち特定把持部の腹部とその特定把持部以外の把持部の背部とを互いに重ねた際に相対向する重合部のうち、特定把持部の腹部の重合部には複数の仕切部を把持部の長手方向に沿って並設した指当部を延設し、特定把持部以外の把持部の背部の重合部には複数の仕切部を把持部の長手方向に沿って並設した指当部を延設し、特定把持部の腹部側の指当部は特定把持部以外の把持部の背部側の指当部よりも硬度の大きい素材により構成され、
把持部の腹部側の指当部の各仕切部のうち少なくとも一つの仕切部に第一係合部を形成して腹部側の指当部から露出させ、この腹部側の指当部には第一係合部に対し各把持部の腹部と背部とを結ぶ厚み方向で反対側になる背側へ第二係合部を一体に突設して、把持部の背部側の指当部の各仕切部のうち少なくとも一つの仕切部に隣接してその第二係合部を背部側の指当部の内側で露出させ、
特定把持部の腹部とその特定把持部以外の把持部の背部とを互いに重ねた際に、特定把持部の腹部側の指当部の各仕切部が、特定把持部以外の把持部の背部側の指当部の各仕切部間に形成した凹部に挿入されるとともに、前記第二係合部に形成した溝部に前記第一係合部が着脱可能に係入される
ことを特徴とする剃刀のハンドル。
【請求項２】
複数の把持部のうち特定把持部の腹部とその特定把持部以外の把持部の背部とを互いに重ねて相対向する各把持部の腹部の重合部と背部の重合部とを互いに着脱可能に係合した際に、特定把持部の頭部に設けられた剃刀ヘッドにおいて剃刀ヘッド本体に被せられたキャップが特定把持部以外の把持部の頭部の背側に当てがわれることを特徴とする請求項１に記載の剃刀のハンドル。
【請求項３】
前記キャップは把持部の頭部の背側に当てがわれた際にその頭部の背側に係止される係止部を有していることを特徴とする請求項２に記載の剃刀のハンドル。
【請求項４】
前記キャップの係止部は貫通孔を有していることを特徴とする請求項３に記載の剃刀のハンドル。
【請求項５】
前記剃刀ヘッド本体は把持部の頭部に対し傾動可能に支持され、キャップは剃刀ヘッド本体に被せられた際に剃刀ヘッド本体の傾動を阻止するストッパを有していることを特徴とする請求項２〜４のうちいずれか一つの請求項に記載の剃刀のハンドル。
【請求項６】
複数の把持部のうち特定把持部の腹部とその特定把持部以外の把持部の背部とを互いに重ねて相対向する各把持部の腹部の重合部と背部の重合部とを互いに着脱可能に係合した際に、各把持部の尻部が各把持部の腹部と背部とを結ぶ厚み方向へ互いに並んで揃うことを特徴とする請求項１〜５のうちいずれか一つの請求項に記載の剃刀のハンドル。
【発明の詳細な説明】
【技術分野】
【０００１】
本発明は剃刀のハンドルに関するものである。
【背景技術】
【０００２】
従来、下記特許文献１にかかるＴ型カミソリでは、ハンドルの把持部が硬質プラスチックにより成形され、一対のＴ型カミソリにおいて、一方のハンドルの背部に他方のハンドルの腹部を重ねた際に、一方のカミソリヘッド上に他方のカミソリヘッドが重なるとともに、各ハンドルの尻部が段差状に並ぶ。
【先行技術文献】
【特許文献】
【０００３】
【特許文献１】実公昭５３−３２７８９号公報
【発明の概要】
【発明が解決しようとする課題】
【０００４】
上記特許文献１にかかるＴ型カミソリについては、下記＊の問題がある。
＊  ハンドルの把持部が硬質プラスチックのみにより成形されているので、ハンドルとしての強度は維持し得るが、把持感触が悪くなって使い勝手が悪くなる問題があった。
【０００５】
＊  各ハンドルを重ねた際に、各カミソリヘッドが段差状に並ぶので、各カミソリヘッドのうち最上のものと各ハンドルの尻部のうち最下のものとの間の寸法が大きくなって、各Ｔ型カミソリを互いに重ねて収容した時に嵩張って使い勝手が悪くなる問題があった。
【０００６】
＊  各ハンドルを重ねた際に、各ハンドルの尻部が段差状に並ぶので、各ハンドルの尻部のうち最下のものと各カミソリヘッドのうち最上のものとの間の寸法が大きくなって、各Ｔ型カミソリを互いに重ねて収容した時に嵩張って使い勝手が悪くなる問題があった。
【０００７】
この発明は、特に、ハンドルとしての強度を維持する素材と把持感触を良くする素材とを組み合わせて剃刀の使い勝手を良くするとともに、複数のハンドルを重ねて結合することができる剃刀においてその結合構造を提供することを目的としている。
【課題を解決するための手段】
【０００８】
後記実施形態の図面（図１〜６）の符号を援用して本発明を説明する。
請求項１の発明にかかる剃刀１のハンドル２は、下記のように構成されている。
把持部３にはその長手方向Ｘの両側のうち一方の側に頭部６を設けるとともに他方の側に尻部７を設け、刃体５を組み込んだ剃刀ヘッド４をこの把持部３の頭部６に設けている。この把持部３は、その刃体５の刃先５ａが向く腹側である腹部８と、その腹側に対する反対側の背側である背部９と、その刃先５ａの延設方向の両側である側部１０とを頭部６と尻部７との間に有している。複数の把持部３のうち特定把持部３の腹部８とその特定把持部３以外の把持部３の背部９とを互いに重ねた際に相対向する重合部のうち、特定把持部３の腹部８の重合部には複数の仕切部１５を把持部３の長手方向Ｘに沿って並設した指当部１１を延設し、特定把持部３以外の把持部３の背部９の重合部には複数の仕切部２１を把持部３の長手方向Ｘに沿って並設した指当部１２を延設している。特定把持部３の腹部８側の指当部１１は特定把持部３以外の把持部３の背部９側の指当部１２よりも硬度の大きい素材により構成されている。把持部３の腹部８側の指当部１１の各仕切部１５のうち少なくとも一つの仕切部１５に第一係合部１７を形成して腹部８側の指当部１１から露出させている。この腹部８側の指当部１１には第一係合部１７に対し各把持部３の腹部８と背部９とを結ぶ厚み方向Ｚで反対側になる背側へ第二係合部２２を一体に突設して、把持部３の背部９側の指当部１２の各仕切部２１のうち少なくとも一つの仕切部２１に隣接してその第二係合部２２を背部９側の指当部１２の内側で露出させている。特定把持部３の腹部８とその特定把持部３以外の把持部３の背部９とを互いに重ねた際に、特定把持部３の腹部８側の指当部１１の各仕切部１５が、特定把持部３以外の把持部３の背部９側の指当部１２の各仕切部２１間に形成した凹部２３に挿入されるとともに、前記第二係合部２２に形成した溝部２２ｂに前記第一係合部１７が着脱可能に係入される。
請求項１の発明は下記の特徴を有している。
＊  複数の把持部３のうち特定把持部３の腹部８とその特定把持部３以外の把持部３の背部９とを互いに重ねた際に相対向する重合部のうち、特定把持部３の腹部８の重合部には複数の仕切部１５を把持部３の長手方向Ｘに沿って並設した指当部１１を延設し、特定把持部３以外の把持部３の背部９の重合部には複数の仕切部２１を把持部３の長手方向Ｘに沿って並設した指当部１２を延設している。従って、腹部８側の指当部１１の各仕切部１５と背部９側の指当部１２の各仕切部２１とが把持部３の滑り止め機能を果たして、剃刀１の使い勝手を良くすることができる。
＊  特定把持部３の腹部８側の指当部１１は特定把持部３以外の把持部３の背部９側の指当部１２よりも硬度の大きい素材により構成されている。従って、軟質樹脂からなる背部９側の指当部１２により、把持部３の把持感触を良くして、剃刀１の使い勝手を良くすることができる。また、硬質樹脂からなる腹部８側の指当部１１により、ハンドル２としての強度を維持して、剃刀１の使い勝手を良くすることができる。
＊  特定把持部３の腹部８とその特定把持部３以外の把持部３の背部９とを互いに重ねた際に、特定把持部３の腹部８側の指当部１１の各仕切部１５が、特定把持部３以外の把持部３の背部９側の指当部１２の各仕切部２１間に形成した凹部２３に挿入される。従って、特定把持部３の腹部８とその特定把持部３以外の把持部３の背部９とを互いに重ねることができる。
＊  把持部３の腹部８側の指当部１１の各仕切部１５のうち少なくとも一つの仕切部１５に第一係合部１７を形成して腹部８側の指当部１１から露出させている。また、この腹部８側の指当部１１には第一係合部１７に対し各把持部３の腹部８と背部９とを結ぶ厚み方向Ｚで反対側になる背側へ第二係合部２２を一体に突設して、把持部３の背部９側の指当部１２の各仕切部２１のうち少なくとも一つの仕切部２１に隣接してその第二係合部２２を背部９側の指当部１２の内側で露出させている。特定把持部３の腹部８とその特定把持部３以外の把持部３の背部９とを互いに重ねた際に、第二係合部２２に形成した溝部２２ｂに第一係合部１７が着脱可能に係入される。従って、特定把持部３の腹部８とその特定把持部３以外の把持部３の背部９とを互いに重ねて、複数の把持部３を着脱可能に結合することができる。第一係合部１７と第二係合部２２とは同じ硬質樹脂からなる腹部８側の指当部１１に形成されているので、第一係合部１７及び第二係合部２２を構成し易い。背部９側の指当部１２の最外表面より外側へ突出しないようにその最外表面上またはその最外表面の内側である指当部１２の内側で露出させたので、把持部３を把持する際に第二係合部２２に触れることがなく、把持部３の把持感触を良くして、剃刀１の使い勝手を良くすることができる。
【００２６】
請求項１の発明を前提とする請求項２の発明においては、複数の把持部３のうち特定把持部３の腹部８とその特定把持部３以外の把持部３の背部９とを互いに重ねて相対向する各把持部３の腹部８の重合部と背部９の重合部とを互いに着脱可能に係合した際に、特定把持部３の頭部６に設けられた剃刀ヘッド４で剃刀ヘッド本体２５に被せられたキャップ２６が特定把持部３以外の把持部３の頭部６の背側に当てがわれる。請求項２の発明では、各剃刀１のハンドル２を互いに重ねた際に剃刀ヘッド４と尻部７との間で長手方向Ｘの全長が従来と比較して短くなってその収容時に嵩張りにくくなり、剃刀１の使い勝手を良くすることができる。
【００２９】
請求項２の発明を前提とする請求項３の発明において、前記キャップ２６は把持部３の頭部６の背側に当てがわれた際にその頭部６の背側に係止される係止部３４を有している。請求項３の発明では、キャップ２６の係止部３４を利用して、剃刀１の頭部６側の動きを規制することができる。
【００３０】
請求項３の発明を前提とする請求項４の発明において、前記キャップ２６の係止部３４は貫通孔３４ｂを有している。請求項４の発明では、係止部３４の貫通孔３４ｂがキャップ２６の空気通路にもなる。例えば、剃刀ヘッド４に取着されたシェービング補助材がキャップ２６により覆われている場合、この貫通孔３４ｂが空気の通り道となってシェービング補助材の乾燥を早め、シェービング補助材の性能を維持することができる。
請求項２〜４のうちいずれか一つの請求項の発明を前提とする請求項５の発明において、前記剃刀ヘッド本体２５は把持部３の頭部６に対し傾動可能に支持され、キャップ２６は剃刀ヘッド本体２５に被せられた際に剃刀ヘッド本体２５の傾動を阻止するストッパ３３を有している。請求項５の発明では、剃刀ヘッド４を把持部３の頭部６の背側に対し安定的に当てがうことができる。
請求項１〜５のうちいずれか一つの請求項の発明を前提とする請求項６の発明において、複数の把持部３のうち特定把持部３の腹部８とその特定把持部３以外の把持部３の背部９とを互いに重ねて相対向する各把持部３の腹部８の重合部と背部９の重合部とを互いに着脱可能に係合した際に、各把持部３の尻部７が各把持部３の腹部８と背部９とを結ぶ厚み方向Ｚへ互いに並んで揃う。請求項６の発明では、各剃刀１のハンドル２を互いに重ねた際に剃刀ヘッド４と尻部７との間で長手方向Ｘの全長が従来と比較して短くなってその収容時に嵩張りにくくなり、剃刀１の使い勝手を良くすることができる。
【発明の効果】
【００３１】
本発明は、ハンドル２としての強度を維持する素材と把持感触を良くする素材とを組み合わせて剃刀１の使い勝手を良くすることができるとともに、複数のハンドル２を重ねて結合することができる剃刀１においてその結合構造を提供するができる。
【図面の簡単な説明】
【００３２】
【図１】（ａ）は本実施形態にかかるキャップ付き剃刀を背側から見た斜視図であり、（ｂ）は同じくキャップ付き剃刀を腹側から見た斜視図である。
【図２】（ａ）は上記キャップ付き剃刀のハンドルを背側から見た背面図であり、（ｂ）は上記キャップ付き剃刀のハンドルを腹側から見た正面図である。
【図３】（ａ）は上記キャップ付き剃刀のハンドルを側方から見た側面図であり、（ｂ）は上記キャップ付き剃刀のハンドルを側方から見た断面図であり、（ｃ）はキャップを取り外した剃刀のハンドルを側方から見た断面図である。
【図４】（ａ）は図３（ｂ）の部分拡大断面図であり、（ｂ）は図３（ｃ）の部分拡大断面図である。
【図５】（ａ）は一対のキャップ付き剃刀を互いに重ねた状態を示す側面図であり、（ｂ）はこの状態を側方から見た断面図である。
【図６】（ａ）は図５（ｂ）の部分拡大断面図であり、（ｂ）は図５（ｂ）の部分拡大断面図である。
【図７】（ａ）は別例にかかる剃刀ヘッド本体を示す断面図であり、（ｂ）はこの剃刀ヘッド本体に組み込んだスペーサの上側を示す斜視図であり、（ｃ）はこのスペーサの下側を示す斜視図である。
【発明を実施するための形態】
【００３３】
以下、本発明の一実施形態に係る剃刀のハンドルについて図面を参照して説明する。
図１〜３に示す剃刀１は、把持部３を有するハンドル２と、図４に示すように刃体５を組み込んだ剃刀ヘッド４とを備えている。このハンドル２において、把持部３にはその長手方向Ｘの両側のうち一方の側に頭部６が設けられているとともに他方の側に尻部７が設けられている。前記剃刀ヘッド４はこの把持部３の頭部６側でハンドル２に対し支持されている。この把持部３は、その刃体５の刃先５ａが向く腹側である腹部８と、その腹側に対する反対側の背側である背部９と、その刃先５ａの延設方向の両側である側部１０とをその頭部６と尻部７との間に有している。
【００３４】
前記ハンドル２の把持部３は、ＡＢＳ樹脂等の硬質樹脂からなる第一指当部１１（特定表部）を頭部６と尻部７と腹部８と側部１０とにわたり一体に有しているとともに、この第一指当部１１と同系色のエラストマ樹脂等の軟質樹脂からなる第二指当部１２（特定表部以外の表部）を頭部６と尻部７との間で背部９と側部１０とにわたり一体に有し、この腹側の第一指当部１１と背側の第二指当部１２とが互いに一体成形されて接合されている。
【００３５】
前記第一指当部１１は、頭部６と尻部７との間で幅方向Ｙの両側の側部１０にある側壁部１３と、頭部６と尻部７との間でこの両側壁部１３間に形成された底壁部１４と、この両側壁部１３及び底壁部１４の内側で互いに間隔をあけて把持部３の長手方向Ｘに沿って並設された複数の仕切部１５とを有している。この各仕切部１５と両側壁部１３と底壁部１４との間には凹部１６が形成されて腹側へ開放されている。この各仕切部１５のうち、頭部６と尻部７との中間位置にある一つの仕切部１５と、尻部７に面する一つの仕切部１５とには、それぞれ、第一係合部１７が露出して形成されている。この第一係合部１７は、両側壁部１３側に延びる部分１７ａと凹部１６側（把持部３の長手方向Ｘ側）へ突出する部分１７ｂとにより十字状をなす。この各仕切部１５と両第一係合部１７とは凹部１６から外側へ若干突出している。この両側壁部１３の外側には頭部６と尻部７との間で複数の突部１８が互いに間隔をあけて把持部３の長手方向Ｘに沿って並設されている。この各仕切部１５と両第一係合部１７と各突部１８とは滑り止め機能も果たす。
【００３６】
前記第二指当部１２は、頭部６と尻部７との間で幅方向Ｙの両側の側部１０にある側壁部１９と、頭部６と尻部７との間でこの両側壁部１９間に形成された底壁部２０と、この両側壁部１９及び底壁部２０の内側で互いに間隔をあけて把持部３の長手方向Ｘに沿って並設された複数の仕切部２１とを有している。この各仕切部２１のうち、頭部６と尻部７との中間位置にある両仕切部２１間と、尻部７と仕切部２１との間には、それぞれ、第二係合部２２が露出して形成されている。この第二係合部２２は、腹側へ突設された前記第一係合部１７に対し厚み方向Ｚで反対側になる背側へ前記第一指当部１１の底壁部１４から一体に突設されて把持部３の長手方向Ｘで間隔をあけて相対向する一対の仕切部２２ａと、この両仕切部２２ａの相対向部で底壁部２０側へ延びるように形成された溝部２２ｂとを有している。この各仕切部２１及び各仕切部２２ａと両側壁部１９と底壁部２０とからなる周壁部間には凹部２３が形成されて背側へ開放されている。この両側壁部１９の外側には頭部６と尻部７との間で滑り止め機能も果たす複数の突部２４が互いに間隔をあけて把持部３の長手方向Ｘに沿って並設されている。この第二指当部１２の底壁部２０は前記第一指当部１１の底壁部１４の背側に対し一体成形時に接合され、この第二指当部１２の両側壁部１９はその底壁部２０から前記第一指当部１１の両側壁部１３側へ延びてその両側壁部１３の外側に被覆され、この両側壁部１９の各突部２４とこの両側壁部１３の各突部１８とが腹部８と背部９とを結ぶ厚み方向Ｚで互いに並んでいる。
【００３７】
前記剃刀ヘッド４は、刃体５が組み込まれた剃刀ヘッド本体２５と、その剃刀ヘッド本体２５に被せられるキャップ２６とからなる。前記ハンドル２の頭部６に形成された両支持腕部２７は、剃刀ヘッド本体２５に形成された回動支点部２８に支持されている。このハンドル２の頭部６には両壁部２９間で形成された凹所３０内で片持梁状の弾性板部３１が形成され、剃刀ヘッド本体２５に形成された押圧部３２にこの弾性板部３１の自由端部が当接し得る。この剃刀ヘッド本体２５は、ハンドル２の頭部６に対し着脱不能に支持され、弾性板部３１の弾性力によりまたはその弾性力に抗して、両支持腕部２７を中心に傾動して首振りし得る。キャップ２６を剃刀ヘッド本体２５に被せると、キャップ２６の裏壁部３３（ストッパ）が弾性板部３１の撓みを抑制して剃刀ヘッド本体２５の傾動を阻止する。キャップ２６の下側には区画部３４ａを介して一対の貫通孔３４ｂを有する係止部３４が形成されている。
【００３８】
図５（ａ）に示すように一対の剃刀１において一方の把持部３（特定把持部）の腹部８と他方の把持部３（特定把持部以外の把持部）の背部９とを互いに重ねると、図５（ｂ）及び図６（ａ）に示すように、それらの重合部で第一係合部１７が第二係合部２２に係入されるとともに、各仕切部１５が各仕切部２１間の凹部２３に挿入される。また、図５（ｂ）及び図６（ｂ）に示すように、キャップ２６が頭部６の背側に当てがわれ、キャップ２６の係止部３４の区画部３４ａが頭部６の凹所３０に係止される。従って、各把持部３の尻部７が腹部８と背部９とを結ぶ厚み方向Ｚへ互いに並んで揃うとともに、各剃刀ヘッド４もその厚み方向Ｚへ互いに並んで揃い、またその各尻部７及び各剃刀ヘッド４が長手方向Ｘで互いに位置ずれせずに揃う。各剃刀１のハンドル２を互いに重ねた際に剃刀ヘッド４と尻部７との間の長手方向Ｘの全長は、それぞれの剃刀１における長手方向Ｘの全長とほぼ同じになっている。なお、図５（ａ）の想像線で示すように３本の剃刀１を互いに重ねたり、図示しないが、４本以上の剃刀１を互いに重ねたりしてもよい。
【００３９】
なお、剃刀１において、剃刀ヘッド４と尻部７との間で長手方向Ｘの全長は約１１５ｍｍ、キャップ２６を含む幅方向Ｙの全幅は約４４ｍｍにそれぞれ設定されている。
本実施形態は下記の効果を有する。
【００４０】
（１）  把持部３で露出する第一指当部１１と第二指当部１２とのうち、第一指当部１１を硬質樹脂により成形するとともに第二指当部１２を軟質樹脂により成形したので、ハンドル２としての強度を維持する素材と把持感触を良くする素材とを組み合わせて剃刀１の使い勝手を良くすることができる。
【００４１】
（２）  一対の剃刀１のハンドル２を互いに結合する際に、相対向する各把持部３の重合部を互いに重ね、一方の把持部３の第一指当部１１に形成された第一係合部１７と、他方の把持部３の第一指当部１１に形成された第二係合部２２とを互いに着脱可能に係合して一対の把持部３を互いに結合することができ、剃刀１の使い勝手を良くすることができる。
【００４２】
（３）  一対のハンドル２の把持部３を互いに重ねて相対向する各把持部３の重合部を互いに着脱可能に係合した際に、一方の把持部３に設けられた剃刀ヘッド４において剃刀ヘッド本体２５に被せられたキャップ２６が他方の把持部３の頭部６の背側に当てがわれるとともに、各把持部３の尻部７が互いに並んで揃うので、各剃刀１のハンドル２を互いに重ねた際に剃刀ヘッド４と尻部７との間で長手方向Ｘの全長が従来と比較して短くなってその収容時に嵩張りにくくなり、複数の剃刀１をコンパクトに整列して保管したり運搬したりすることができる。従って、剃刀１の使い勝手を良くすることができる。
【００４３】
前記実施形態以外にも例えば下記のように構成してもよい。
【００４４】
・  図７に示す剃刀ヘッド本体２５では、刃台３５と天板３６との間に下刃体３７とスペーサ３８と上刃体３９とが順次積層されて挟持され、天板３６に形成された複数の支軸３６ａが上刃体３９とスペーサ３８と下刃体３７を通して刃台３５に挿着されている。スペーサ３８においては、支軸３６ａが通る各支持孔４０の外周で上側に各突帯部４１が形成されているとともに、その各突帯部４１に隣接して各突起部４２が形成されている。上刃体３９はこの各突帯部４１及び各突起部４２に載置されてスペーサ３８の上側との間で隙間４３を生じる。下刃体３７はスペーサ３８の下側に当てがわれる。ちなみに、下刃体３７及び上刃体３９の厚みについては、０．０５〜０．２５ｍｍに設定することが好ましく、例えば０．０７６ｍｍに設定している。また、従来は例えば０．５ｍｍの厚みを有する板材に対しスペーサの外形及び孔を打ち抜いていたが、材料の節約のため、より薄い例えば０．４ｍｍの厚みを有する板材に対しスペーサ３８をプレス機で打ち抜き、さらに例えば０．１ｍｍの高さを有する前記各突帯部４１及び各突起部４２をプレス機による打ち抜き時に同時に成形することによって、従来のように例えば０．５ｍｍの厚みを有するスペーサと同様な機能を持たせている。
【００４５】
・  剃刀ヘッド４をハンドル２に対し着脱不能に支持するばかりでなく、剃刀ヘッド４を交換できるように着脱可能に支持してもよい。また、剃刀ヘッド本体２５をハンドル２に対し首振り可能に支持するばかりでなく首振り不能に支持してもよい。
【００４６】
・  前記第一指当部１１はＡＢＳ樹脂等の硬質樹脂からなり、前記第二指当部１２はエラストマ樹脂等の軟質樹脂からなるが、これらの樹脂以外の硬質材や軟質材を用いてもよい。また、硬質樹脂と軟質樹脂とを同系色でなく異系色にしてもよい。
【００４７】
・  前記第一係合部１７と第二係合部２２とは、把持部３の頭部６と尻部７との間の中間位置と尻部７との二箇所に形成しているが、把持部３の頭部６と尻部７との間で一箇所にまたは三箇所以上に形成してもよい。
【符号の説明】
【００５０】
１…剃刀（手動利器）、２…ハンドル、３…ハンドルの把持部、４…剃刀ヘッド、５…刃体、５ａ…刃先、６…把持部の頭部、７…把持部の尻部、８…把持部の腹部、９…把持部の背部、１０…把持部の側部、１１…第一指当部（特定表部）、１２…第二指当部（特定表部以外の表部）、１５…腹部の仕切部、１７…第一係合部、２１…背部の仕切部、２２…第二係合部、２２ｂ…第二係合部の溝部、２３…背部の凹部、２５…剃刀ヘッド本体、２６…キャップ、Ｘ…把持部の長手方向、Ｚ…把持部の厚み方向。
【図１】
0005714851.tif 000002
【図２】
0005714851.tif 000003
【図３】
0005714851.tif 000004
【図４】
0005714851.tif 000005
【図５】
0005714851.tif 000006
【図６】
0005714851.tif 000007
【図７】
0005714851.tif 000008